(57)【要約】【課題】内容物を詰め替えるときに注出キャップを容器から容易に取り外すことが可能で、しかもオーバーキャップを取り外すとき又は装着するときに注出キャップが口部に対して緩むのを規制すること。【解決手段】内容物を収容する容器２と、容器の口部３に着脱可能に螺着されると共に注出口４ａを有する注出キャップ４と、注出キャップに着脱可能に装着され注出口を覆うオーバーキャップ５と、が備えられ、注出キャップの周壁部１０には、容器の外表面に接近及び離間するようにこの注出キャップとの連結部分２３ａ回りに回動可能な係合片２３が突設され、容器の外表面には、係合片と係合して、注出キャップ及び容器の相対的なキャップ周方向に沿った緩み側の移動を規制する係合部２５が設けられ、係合片を連結部分回りに回動させることで、係合片と係合部との係合及びその解除が切り替えられるキャップ付容器１を提供する。【選択図】図１
2010052807.tif 000002
【特許請求の範囲】
【請求項１】
内容物を収容する容器と、
前記容器の口部に着脱可能に螺着されると共に注出口を有する注出キャップと、
前記注出キャップに着脱可能に装着され注出口を覆うオーバーキャップと、を備えるキャップ付容器であって、
前記注出キャップの周壁部には、前記容器の外表面に接近及び離間するようにこの注出キャップとの連結部分回りに回動可能な係合片が突設され、
前記容器の外表面には、前記係合片と係合して、前記注出キャップ及び前記容器の相対的なキャップ周方向に沿った緩み側の移動を規制する係合部が設けられ、
前記係合片を前記連結部分回りに回動させることで、前記係合片と前記係合部との係合及びその解除が切り替えられることを特徴とするキャップ付容器。
【請求項２】
請求項１に記載のキャップ付容器であって、
前記係合部と係合された状態で前記係合片を保持する保持手段が備えられていることを特徴とするキャップ付容器。
【請求項３】
請求項１又は２に記載のキャップ付容器であって、
前記係合片を前記容器の外表面と離間するように前記連結部分回りに回動させることで前記係合片と前記係合部との係合が解除され、前記係合片を前記容器の外表面と接近するように前記連結部分回りに回動させることで前記係合片と前記係合部とが係合される構成とされ、
前記係合片の先端部は、その先端に向かうに従い漸次前記容器の外表面から離間していることを特徴とするキャップ付容器。
【請求項４】
請求項１から３のいずれか１項に記載のキャップ付容器であって、
前記係合片を前記容器の外表面と離間するように前記連結部分回りに回動させることで前記係合片と前記係合部との係合が解除され、前記係合片を前記容器の外表面と接近するように前記連結部分回りに回動させることで前記係合片と前記係合部とが係合される構成とされ、
前記係合部は、前記容器の外表面に突設されると共に、前記容器に対する前記注出キャップのキャップ周方向に沿った締付側を向く部分で前記係合片と係合し、
前記係合部の突出高さは、前記容器に対する前記注出キャップのキャップ周方向に沿った緩み側から締付側に向かうに従い大きくなっていることを特徴とするキャップ付容器。
【発明の詳細な説明】
【技術分野】
【０００１】
本発明は、キャップ付容器に関する。
【背景技術】
【０００２】
この種のキャップ付容器として、例えば下記特許文献１に示されるように、容器と、容器の口部に嵌合されると共に注出口を有する注出キャップと、注出キャップに着脱可能に螺着され注出口を覆うオーバーキャップと、を備える構成が知られている。
【０００３】
ところで近年では、容器内の内容物を使い切った後に、この容器に例えばパウチ等の他の容器に収容された内容物を詰め替えることで、キャップ付容器を再利用する需要者が増えている。
【特許文献１】実公平３−８６０６号公報
【発明の開示】
【発明が解決しようとする課題】
【０００４】
しかしながら、前記従来のキャップ付容器では、注出キャップが容器の口部に嵌合されているため、前述の詰め替え作業に際して容器から注出キャップを取り外すのが実用上不可能であった。そのため、需要者が容器に内容物を詰め替える際に、内容物を注出キャップの注出口から注ぎ込まざるを得ず、内容物をこぼさないで詰め替えるために細心の注意が要求され、需要者に負担がかかっていた。
【０００５】
本発明は、上述した事情に鑑みてなされたものであって、その目的は、内容物を詰め替えるときに注出キャップを容器から容易に取り外すことが可能で、しかもオーバーキャップを取り外すとき又は装着するときに注出キャップが口部に対して緩むのを規制することができるキャップ付容器を提供することである。
【課題を解決するための手段】
【０００６】
前記課題を解決するために、この発明は以下の手段を提案している。
本発明に係るキャップ付容器は、内容物を収容する容器と、前記容器の口部に着脱可能に螺着されると共に注出口を有する注出キャップと、前記注出キャップに着脱可能に装着され注出口を覆うオーバーキャップと、を備えるキャップ付容器であって、前記注出キャップの周壁部には、前記容器の外表面に接近及び離間するようにこの注出キャップとの連結部分回りに回動可能な係合片が突設され、前記容器の外表面には、前記係合片と係合して、前記注出キャップ及び前記容器の相対的なキャップ周方向に沿った緩み側の移動を規制する係合部が設けられ、前記係合片を前記連結部分回りに回動させることで、前記係合片と前記係合部との係合及びその解除が切り替えられることを特徴とするものである。
【０００７】
本発明に係るキャップ付容器によれば、係合片を連結部分回りに回動させることで、係合片と係合部との係合及びその解除が切り替えられるので、注出キャップ及び容器の相対的なキャップ周方向に沿った緩み側の移動の規制及びその解除を容易に切り替えることができる。従って、内容物を詰め替えるときは、係合片と係合部との係合を解除することで、注出キャップを容器から容易に取り外すことが可能で、しかもオーバーキャップを取り外すとき又は装着するときは、係合片と係合部とを係合させておくことで、注出キャップが口部に対して緩むのを規制することができる。
なお、オーバーキャップが注出キャップに螺着されている場合には、オーバーキャップを取り外すとき又は装着するときに注出キャップがオーバーキャップと共にキャップ周方向に移動して、注出キャップが共回りするのを規制することができる。
【０００８】
また、本発明に係るキャップ付容器では、前記係合部と係合された状態で前記係合片を保持する保持手段が備えられていることが好ましい。
【０００９】
この場合、係合部と係合された状態で係合片を保持する保持手段が備えられているので、係合部と係合片との係合が不意に解除されてしまうのを抑制することが可能となり、両者の係合を確実に維持することができる。
【００１０】
また、本発明に係るキャップ付容器では、前記係合片を前記容器の外表面と離間するように前記連結部分回りに回動させることで前記係合片と前記係合部との係合が解除され、前記係合片を前記容器の外表面と接近するように前記連結部分回りに回動させることで前記係合片と前記係合部とが係合される構成とされ、前記係合片の先端部は、その先端に向かうに従い漸次前記容器の外表面から離間していることが好ましい。
【００１１】
この場合、係合片の先端部が、その先端に向かうに従い漸次容器の外表面から離間しているので、先端部と容器との間に指等を入れ易く、この係合片を容器の外表面と離間する方向に容易に回動させることが可能となり、係合片と係合部との係合の解除をより一層容易に行うことができる。
【００１２】
また、本発明に係るキャップ付容器では、前記係合片を前記容器の外表面と離間するように前記連結部分回りに回動させることで前記係合片と前記係合部との係合が解除され、前記係合片を前記容器の外表面と接近するように前記連結部分回りに回動させることで前記係合片と前記係合部とが係合される構成とされ、前記係合部は、前記容器の外表面に突設されると共に、前記容器に対する前記注出キャップのキャップ周方向に沿った締付側を向く部分で前記係合片と係合し、前記係合部の突出高さは、前記容器に対する前記注出キャップのキャップ周方向に沿った緩み側から締付側に向かうに従い大きくなっていることが好ましい。
【００１３】
この場合、係合部の突出高さが、容器に対する注出キャップのキャップ周方向に沿った緩み側から締付側に向かうに従い大きくなっているので、一度取り外した注出キャップを容器に再度装着するときに、係合部において容器に対する注出キャップのキャップ周方向に沿った緩み側を向く部分に係合片を摺接させつつ注出キャップと容器とを相対的にキャップ周方向に沿った締付側に移動させることで、係合片をキャップ周方向に移動させながら係合部によって容器の外表面から離間するように連結部分回りに回動させることが可能となり、注出キャップの装着を容易に行うことができる。
【発明の効果】
【００１４】
本発明に係るキャップ付容器によれば、内容物を詰め替えるときに注出キャップを容器から容易に取り外すことが可能で、しかもオーバーキャップを取り外すとき又は装着するときに注出キャップが口部に対して緩むのを規制することができる。
【発明を実施するための最良の形態】
【００１５】
〔第１実施形態〕
以下、本発明に係るキャップ付容器の第１実施形態を、図１及び図２を参照して説明する。
本実施形態に係るキャップ付容器１は、図１に示すように、内容物Ｆを収容する容器２と、容器２の口部３に着脱可能に螺着されると共に注出口４ａを有する注出キャップ４と、注出キャップ４に着脱可能に螺着され注出口４ａを覆うオーバーキャップ５と、を備えている。
なお、図示の例では、容器２の口部３、注出キャップ４及びオーバーキャップ５は、それぞれの中心軸線が共通軸上に位置された状態で配設されている。以下、この共通軸を軸線Ｏと称し、軸線Ｏに沿ってオーバーキャップ５側を上側、容器２側を下側と称する。
【００１６】
容器２は、底部６、胴部７、肩部８及び口部３が、下方から上方に向けてこの順で連設されている。図示の例では、胴部７は、軸線Ｏを挟んで一方側（図１の紙面右側）が他方側（図１の紙面左側）よりも外方に向けて膨らんだ形状となっている。肩部８は、上方に向かうに連れて漸次縮径している。口部３の外周面には、雄ネジ３ａが形成されている。
また、図示の例では、容器２には、この容器２を持ち上げるための把手部９が設けられている。把手部９は、外方に膨らんだ胴部７の上方に位置するように口部３の下側に取り付けられており、この位置から、胴部７の膨らみにあわせて下側に向けて湾曲して延在している。また、図示の例では、把手部９は、内部が胴部７に連通する空洞となるように形成されており、この把手部９内にも内容物Ｆを収容できるようになっている。なお以下では、図１に示す容器２において、軸線Ｏに対して把手部９が位置する側（前述した一方側）を容器後側と称し、容器後側に対して軸線Ｏを挟んだ反対側（前述した他方側）を容器前側と称する。
【００１７】
注出キャップ４は、軸線Ｏと同軸に配設された外筒部（周壁部）１０及び内筒部１１と、内筒部１１のキャップ径方向の内側に配設されると共に前記注出口４ａを有する筒状のノズル部１２と、を備えている。
外筒部１０は、多段の円筒状に形成され、上筒部１３と、上筒部１３の径方向外側に配設されると共に上端が上筒部１３における軸線Ｏ方向の中間部に連結された中筒部１４と、中筒部１４の径方向外側に配設されると共に上端が中筒部１４の下端と連結された下筒部１５と、を備えている。
【００１８】
上筒部１３の外周面には、雄ネジ１３ａが形成されている。また、上筒部１３の下端縁におけるキャップ径方向の内側部分には下方に向けて嵌合筒部１６が延設されており、この嵌合筒部１６が容器２の口部３内に嵌合されていると共に、前記下端縁におけるキャップ径方向の外側部分が口部３の上端開口縁と当接している。
中筒部１４の内径は、口部３の外径より大きくなっている。この中筒部１４の内周面には雌ネジ１４ａが形成されており、この雌ネジ１４ａが口部３の雄ネジ３ａに螺合している。ここで、図示の例では、容器２に対する注出キャップ４のキャップ周方向に沿った締付側Ｄ１が、このキャップ付容器１の上面視における時計回り側であり、容器２に対する注出キャップ４のキャップ周方向に沿った緩み側Ｄ２が、このキャップ付容器１の上面視における反時計回り側である。
また、図示の例では、下筒部１５の下端と容器２の肩部８及び把手部９との間には、それぞれ隙間があいている。
【００１９】
また、口部３のキャップ径方向の内側には、前記内筒部１１が配設されている。この内筒部１１の上端は前記上筒部１３の下端と連結され、内筒部１１と前記嵌合筒部１６との間には隙間があいている。図示の例では、内筒部１１の下端は、容器２の口部３の下端より上側に位置している。
ノズル部１２は、その中心軸が軸線Ｏに対してずらされて配設されると共に、その上端開口部が前記注出口４ａとなっている。ここで、注出キャップ４において、軸線Ｏに対してノズル部１２の中心軸がずらされた方向をキャップ前側とする。本実施形態では、キャップ前側と容器前側とが一致した状態で注出キャップ４が容器２の口部３に装着されている。以下では、特に区別をする必要がない場合、キャップ前側及び容器前側を単に前側、キャップ後側及び容器後側を単に後側と称する。
【００２０】
ノズル部１２の下端開口面は、前側から後側に向かうに従い漸次下側に向かって傾斜している。また、ノズル部１２は、下側から上側に向かうに従い後側側面が前側に傾斜して、漸次縮径されている。更に、図示の例では、ノズル部１２の後側側面には、軸線Ｏ方向に沿って延在し、注出口４ａとノズル部１２の下端開口とをつなぐ開口が形成されている。
ノズル部１２の下端は、内筒部１１の下端からキャップ径方向の内側に向かうに従い下方に向けて延びる環状の連結部１７に、全周に亘って連結されている。また、ノズル部１２の上端は、外筒部１０の上端より上方に位置している。
このノズル部１２を有する注出キャップ４が装着されたキャップ付容器１では、前側が下方を向くように傾けられることで、内容物Ｆが注出口４ａから確実に注出される。
【００２１】
オーバーキャップ５は、有頂筒状に形成された本体筒１８と、本体筒１８における軸線Ｏ方向の中間部からキャップ径方向の外方に向けて突設されたフランジ部１９と、フランジ部１９の外周縁部から下方に向けて延設された装着筒２０と、を備え、これら本体筒１８、フランジ部１９及び装着筒２０がいずれも軸線Ｏと同軸に配設されている。
本体筒１８の外径は、注出キャップ４の内筒部１１の内径より小さく、本体筒１８の下端は、前記内筒部１１のキャップ径方向の内側で且つノズル部１２のキャップ径方向の外側に配設されている。
装着筒２０の内周面には、雌ネジ２０ａが形成され、この雌ネジ２０ａが注出キャップ４の上筒部１３の雄ネジ１３ａに螺合している。また、フランジ部１９の下面には下方に向けて嵌合筒部２１が延設され、この嵌合筒部２１が前記上筒部１３内に嵌合されている。
【００２２】
なお、図示の例では、前述した各雄ネジ３ａ、１３ａ及び各雌ネジ１４ａ、２０ａそれぞれの螺設方向は同じになっている。このため、このキャップ付容器１では、オーバーキャップ５と注出キャップ４が装着された容器２とを相対的にキャップ周方向に沿った緩み側に移動させたときに、注出キャップ４と容器２とが相対的にキャップ周方向に沿った緩み側に移動するように注出キャップ４を共回りさせる力が、この注出キャップ４に対して作用する。
【００２３】
また、注出キャップ４の外筒部１０には、図１及び図２に示すように、容器２の外表面に接近及び離間するようにこの注出キャップ４との連結部分２３ａ回りに回動可能な係合片２３が突設されている。図示の例では、係合片２３は、外筒部１０の後側部分から後側に向けて延びる板状に形成され、その板厚方向を向く面のうちの一方（下面）が容器２の把手部９の外表面に接触している。また、係合片２３は、外筒部１０における下筒部１５の下端と連結されている。また、前記連結部分２３ａは、ヒンジ部からなり、この連結部分２３ａの回転軸は、係合片２３において長手方向に直交する幅方向と平行になっている。以上により、係合片２３は、その板厚方向に向けて連結部分２３ａ回りに回動可能となっており、連結部分２３ａ回りに回動することで容器２の外表面に対して接近及び離間する。
【００２４】
また、本実施形態では、係合片２３の先端部２３ｂは、その先端に向かうに従い漸次容器２の外表面から離間している。図示の例では、先端部２３ｂは、把手部９の外表面に対して反対側に向けて屈曲されている。
また、係合片２３には、その板厚方向に貫通する貫通孔２４が形成されている。図示の例では、貫通孔２４は、係合片２３における長手方向及び幅方向のそれぞれの中間に位置する部分に、その一辺が前記長手方向に沿った矩形状に形成されている。
【００２５】
また、容器２の外表面には、係合片２３と係合して、注出キャップ４及び容器２の相対的なキャップ周方向に沿った緩み側の移動を規制する係合部２５が備えられている。図示の例では、係合部２５は、把手部９において上側に位置する部分の外表面に、係合片２３の貫通孔２４に挿通されるように突設されている。また、係合部２５は、その一辺が前記長手方向に沿う直方体状に形成されている。そして、図示の例では、係合部２５において前記締付側Ｄ１を向く部分２５ａと、係合片２３において貫通孔２４を画成する周壁部のうちの前記緩み側Ｄ２を向く部分２３ｃと、が互いに当接することで係合し、注出キャップ４及び容器２の相対的なキャップ周方向に沿った緩み側の移動が規制されている。
【００２６】
また、図示の例では、係合部２５における前記幅方向に沿った大きさは、貫通孔２４における前記幅方向の大きさと同等となっている。これにより、前述の係合と共に、係合部２５において前記緩み側Ｄ２を向く部分２５ｂと、係合片２３において貫通孔２４を画成する周壁部のうちの前記締付側Ｄ１を向く部分２３ｄと、が互いに当接することで係合し、注出キャップ４及び容器２の相対的なキャップ周方向に沿った締付側の移動も規制されている。
つまり、本実施形態では、係合部２５と係合片２３との係合により、注出キャップ４及び容器２の相対的なキャップ周方向に沿った双方向の移動が規制されている。
また、図示の例では、係合部２５の前記長手方向の大きさは、貫通孔２４の前記長手方向の大きさより小さくなっており、係合部２５は、貫通孔２４内において係合片２３の先端側にずらされた状態で挿通されている。
【００２７】
また、本実施形態では、キャップ付容器１には、係合部２５と係合された状態で係合片２３を保持する保持手段である係止凸部２６が備えられている。図示の例では、係止凸部２６は、係合部２５において係合片２３の先端側を向く側面の上端に、前記先端側に向けて突設されている。また、係止凸部２６は、前記長手方向に沿った縦断面視で凸曲面状に形成され、係合片２３の上面において、貫通孔２４を画成する周壁部のうち係合片２３の先端側に位置する部分に前記先端側から連なる被係止部分２３ｅに上側から当接して、係合片２３の容器２の外表面から離間する方向の回動を規制している。
【００２８】
そして、本実施形態のキャップ付容器１では、係合片２３を連結部分２３ａ回りに回動させることで、係合片２３と係合部２５との係合及びその解除が切り替えられる。図示の例では、図１の二点鎖線に示すように、係合片２３を容器２の外表面と離間するように連結部分２３ａ回りに回動させて係合部２５の貫通孔２４に対する挿通を解除することで係合片２３と係合部２５との係合が解除され、係合片２３を容器２の外表面と接近するように連結部分２３ａ回りに回動させて係合部２５を貫通孔２４に挿通させることで係合片２３と係合部２５とが係合される構成となっている。
【００２９】
次に、以上のように形成されたキャップ付容器１の使用方法について説明する。始めに、注出キャップ４を容器２から取り外す方法の一例について説明する。
まず、係合片２３の先端部２３ｂと容器２との間に指等を入れ、係合片２３を容器２の外表面と離間するように連結部分２３ａ回りに回動させる。このとき、前記被係止部分２３ｅが、係止凸部２６に摺接しながらこの係止凸部２６を乗り越えることで、係止凸部２６による係合片２３の係止が解除される。これにより、係合片２３と係合部２５との係合が解除され、注出キャップ４及び容器２の相対的なキャップ周方向に沿った双方向の移動の規制が解除される。
次いで、注出キャップ４を容器２に対して前記緩み側Ｄ２に回転移動（軸線Ｏ回りに回転）させる。これにより、注出キャップ４を容器２から取り外すことができる。
【００３０】
次に、取り外した注出キャップ４を容器２に装着する方法の一例について説明する。
まず、注出キャップ４を容器２に対して前記締付側Ｄ１に回転移動（軸線Ｏ回りに回転）させる。この際、係合片２３が容器２の外表面から離間するように係合片２３を連結部分２３ａ回りに回動させておき、係合片２３と係合部２５とが接触しない状態に維持する。そして、この締め付けを、注出キャップ４が容器２に対して下方に適度に変位し、且つ係合片２３が容器後側に位置するまで行う。
次いで、係合片２３を容器２の外表面と接近するように連結部分２３ａ回りに回動させて係合部２５に接触させつつ、必要に応じて注出キャップ４を容器２に対して緩めたり締め付けたりしながら、係合片２３の貫通孔２４に係合部２５が挿通されるように貫通孔２４と係合部２５との位置を合わせる。
【００３１】
次いで、係合部２５に対して位置決めされた係合片２３を、更に連結部分２３ａ回りに回動させて、貫通孔２４内に係合部２５を挿通する。この際、係合片２３の先端部２３ｂを容器２の外表面に向けて押し込むことで、前記被係止部分２３ｅが係止凸部２６を乗り越えて、貫通孔２４内に係合部２５が挿通される。これにより、係合片２３と係合部２５が係合され、注出キャップ４及び容器２の相対的なキャップ周方向に沿った緩み側の移動が規制される。更にこの際、注出キャップ４及び容器２の相対的なキャップ周方向に沿った締付側の移動も規制されるので、前述の規制と共に、キャップ前側と容器前側、及びキャップ後側と容器後側がそれぞれ一致させられる。
【００３２】
以上に示した本実施形態に係るキャップ付容器１によれば、係合片２３を連結部分２３ａ回りに回動させることで、係合片２３と係合部２５との係合及びその解除が切り替えられるので、注出キャップ４及び容器２の相対的なキャップ周方向に沿った緩み側の移動の規制及びその解除を容易に切り替えることができる。従って、内容物Ｆを詰め替えるときは、係合片２３と係合部２５との係合を解除することで、注出キャップ４を容器２から容易に取り外すことが可能で、しかもオーバーキャップ５を取り外すとき又は装着するときは、係合片２３と係合部２５とを係合させておくことで、注出キャップ４が口部３に対して緩むのを規制することができる。更に、本実施形態では、オーバーキャップ５を取り外すときに注出キャップ４が共回りするのを規制することができる。
【００３３】
また、係合部２５と係合された状態で係合片２３を保持する係止凸部２６が備えられているので、係合部２５と係合片２３との係合が不意に解除されてしまうのを抑制することが可能となり、両者の係合を確実に維持することができる。
また、係合片２３の先端部２３ｂが、その先端に向かうに従い漸次容器２の外表面から離間しているので、先端部２３ｂと容器２との間に指等を入れ易く、この係合片２３を容器２の外表面と離間する方向に容易に回動させることが可能となり、係合片２３と係合部２５との係合の解除をより一層容易に行うことができる。
【００３４】
なお、本実施形態では、係合部２５と係合片２３の貫通孔２４との前記幅方向の大きさを互いに同等にして係合部２５と係合片２３とを係合させることで、注出キャップ４及び容器２の相対的なキャップ周方向に沿った緩み側及び締付側の双方向の移動を規制したが、少なくとも緩み側の移動が規制されれば良く、例えば係合部２５の前記幅方向の大きさを貫通孔２４の前記幅方向の大きさより小さくして、この係合部２５を、係合片２３において貫通孔２４を画成する周壁部のうちの前記緩み側Ｄ２を向く部分２３ｃとのみ係合するようにしても良い。また、係合片２３において前記緩み側Ｄ２を向く側面に、係合部２５において前記締付側Ｄ１を向く側面の外径形状と一致するように切り欠き部を形成し、この切り欠き部を係合部２５に当接させることで、係合片２３と係合部２５とを係合させても良い。
また、本実施形態では、係止凸部２６を、係合部２５において係合片２３の先端側を向く側面に設けたが、これに代えて例えば係合部２５において前記緩み側Ｄ２を向く側面、或いは前記締付側Ｄ１を向く側面に設けても良いし、これら側面のうちの複数の側面に設けても良い。
【００３５】
〔第２実施形態〕
次に、本発明に係るキャップ付容器の第２実施形態を、図３及び図４を参照して説明する。
なお、この第２実施形態においては、第１実施形態における構成要素と同一の部分については同一の符号を付しその説明を省略し、異なる点についてのみ説明する。
【００３６】
本実施形態に係るキャップ付容器３０では、図３及び図４に示すように、係合片３１が弾性変形可能な板状に形成されており、注出キャップ４の下筒部１５の下端部における外周面の後側部分から、キャップ径方向の外側に向けて突設されている。図示の例では、係合片３１は、その板厚方向が軸線Ｏ方向と一致しており、その板厚方向に向けて弾性変形することで、この連結部分３１ａ回りに容器２の外表面に接近及び離間するように回動可能となっている。
【００３７】
また、係合部３２は、容器２の外表面に突設されると共に、その突出高さが、前記緩み側Ｄ２から前記締付側Ｄ１に向かうに従い大きくなっている。図示の例では、係合部３２は、四角錐台状に形成されており、後側からの側面視で台形状に形成されている。また、係合部３２において、前記緩み側Ｄ２を向く側面である傾斜側面３２ａは、軸線Ｏに直交する直交面Ｐに対して傾斜している。更に、図示の例では、係合部３２は、前記締付側Ｄ１を向く側面である当接側面３２ｂが、前記直交面Ｐに直交する平坦面に形成されると共に、頂面３２ｃが、前記直交面Ｐに沿って平行に延びる平坦面となっている。
【００３８】
また、係合片３１は、その前記緩み側Ｄ２を向く側面３１ｃで係合部３２の当接側面３２ｂと当接して係合している。図示の例では、係合片３１は、係合部３２の当接側面３２ｂの軸線Ｏ方向の中間部分に当接している。
また、保持手段である係止凸部３３は、係合部３２の当接側面３２ｂの上端に、前記締付側Ｄ１に向けて突設されており、係合片３１の上側から当接して係合片３１を係止し、この係合片３１の容器２の外表面から離間する方向の回動を規制している。
【００３９】
次に、以上のように形成されたキャップ付容器３０の使用方法について説明する。
ここで、注出キャップ４を容器２から取り外す方法については、前述した第１実施形態のキャップ付容器１と同様の方法なので説明を省略し、取り外した注出キャップ４を容器２に装着する方法の一例について説明する。
【００４０】
まず、注出キャップ４を容器２に対して前記締付側Ｄ１に回転移動（軸線Ｏ回りに回転）させる。この際まず、図４の２点鎖線に示すように、係合片３１において前記締付側Ｄ１に位置する部分の下端が、係合部３２の傾斜側面３２ａと当接する。
その後更に、注出キャップ４を容器２に対して前述のように回転移動させると、係合片３１が、係合部３２の傾斜側面３２ａに摺接しながらこの側面に沿って上側に移動する。これにより、係合片３１が、係合部３２に対してキャップ周方向に移動しながら弾性変形して、容器２の外表面と漸次離間するように連結部分３１ａ回りに回動する。
【００４１】
その後更に、注出キャップ４を容器２に対して前述のように回転移動させると、係合片３１が係合部３２の頂面３２ｃ上を摺動して、係合片３１がこの係合部３２に対して前記締付側Ｄ１に移動する。この際、係合片３１の弾性復元力により、この係合片３１は、係合片３１が容器２の外表面と接近するように連結部分３１ａ回りに回動し、係止凸部３３を乗り越えて弾性変形前の形状に戻る。
以上により、係合片３１が係合部３２を乗り越えて、係合片３１において前記緩み側Ｄ２を向く側面３１ｃと、係合部３２の当接側面３２ｂと、が当接され、両者が係合される。
【００４２】
以上に示した本実施形態に係るキャップ付容器３０によれば、前記第１実施形態のキャップ付容器１と同様の作用効果を奏することができる。
また、係合部３２の突出高さが、前記緩み側Ｄ２から前記締付側Ｄ１に向かうに従い大きくなっているので、一度取り外した注出キャップ４を容器２に再度装着するときに、前記傾斜側面３２ａに係合片３１を摺接させつつ注出キャップ４を容器２に対して前記締付側Ｄ１に回転移動（軸線Ｏ回りに回転）させることで、係合片３１をキャップ周方向に移動させながら係合部３２によって容器２の外表面から離間するように連結部分３１ａ回りに回動させることが可能となり、注出キャップ４の装着を容易に行うことができる。
【００４３】
なお、本発明の技術的範囲は前記実施形態に限定されるものではなく、本発明の趣旨を逸脱しない範囲において種々の変更を加えることが可能である。
例えば、前記各実施形態では、容器２の把手部９が、口部３の下側に取り付けられているものとしたが、これに代えて、口部３の下側と底部６の上側に両端が連結され、胴部７との間に隙間があいた把手部としても良い。また、把手部９はなくても構わない。
【００４４】
また、前記各実施形態では、係合片２３、３１を容器２の外表面と離間するように連結部分２３ａ、３１ａ回りに回動させることで係合片２３、３１と係合部２５、３２との係合が解除され、係合片２３、３１を容器２の外表面と接近するように連結部分２３ａ、３１ａ回りに回動させることで係合片２３、３１と係合部２５、３２とが係合される構成としているが、係合片を容器２の外表面と接近するように連結部分回りに回動させることで係合片と係合部との係合が解除され、係合片を容器２の外表面と離間するように連結部分回りに回動させることで係合片と係合部とが係合される構成としても構わない。このような構成の一例としては、係合部を、容器２の外表面に上側に向けて突設された第１基部と、第１基部の上端から前記緩み側Ｄ２に向けて延在された第２基部と、第２基部の前記緩み側Ｄ２部分から下側に向けて突設された保持突起と、からなる構成として、この保持突起に係合片を係合させるものが挙げられる。
【００４５】
また、前記各実施形態では、係合片２３、３１の先端部２３ｂが屈曲されているが、先端に向かうに従い漸次容器２の外表面から離間していればこれに限らず、例えば湾曲されていても構わない。更にまた、先端部２３ｂは、先端に向かうに従い漸次容器２の外表面から離間していなくても構わない。
また、係合部２５、３２は、前記各実施形態で示した形状に限られず、円柱状等に形成されていても構わない。また、係合部は、容器２の外表面に突設されていなくても良く、例えば容器２の外表面に形成された凹部でも構わない。この場合、係合片の先端部を係合部内に挿入されるように容器２の外表面に向けて曲げても良いし、係合片の下面に前記凹部に挿入可能な凸部を設けても良い。
【００４６】
また、前記各実施形態において、オーバーキャップ５の本体筒１８の外表面には、本体筒１８を上下反転させた状態で本体筒１８内に内容物Ｆを注入したときに、その注入された内容物Ｆの液量を示す目盛り等が設けられていてもよい。この場合、注出キャップ４から取り外したオーバーキャップ５を計量キャップとして用いることができる。
また、雄ネジ１３ａ及び雌ネジ２０ａの各螺設方向と、雄ネジ３ａ及び雌ネジ１４ａの各螺設方向とを互いに逆向きにしてもよい。更にまた、前記各実施形態では、オーバーキャップ５は、注出キャップ４に螺着されていたが、着脱可能に装着されて入ればこれに限られない。
【００４７】
また、前記各実施形態では、ノズル部１２が、その中心軸が軸線Ｏに対してずらされて配設されるとしたが、軸線Ｏを中心として円筒状に形成されたノズル部としても構わない。
また、前記各実施形態では、保持手段として係合部２５、３２に係止凸部２６、３３を設けたが、これに代えて例えば係合片２３、３１が係脱可能な凹部を係合部２５、３２に形成しても良い。また、保持手段は、係合部２５、３２に設けられていなくても良く、例えば係合片２３、３１に設けられていても良く、係合片２３、３１及び係合部２５、３２の両者に設けらていても良い。更にまた、保持手段は、無くても構わない。
【００４８】
また、前記各実施形態では、注出キャップ４を容器２から取り外すとき及び注出キャップ４を容器２に装着するときに、注出キャップ４を容器２に対して回転移動（軸線Ｏ回りに回転）させていたが、両者がキャップ周方向に相対的に移動すればこれに限られず、例えば容器２を注出キャップ４に対して回転移動させても良い。
【００４９】
その他、本発明の趣旨に逸脱しない範囲で、前記実施形態における構成要素を周知の構成要素に置き換えることは適宜可能であり、また、前記した変形例を適宜組み合わせてもよい。
【図面の簡単な説明】
【００５０】
【図１】本発明に係る第１実施形態のキャップ付容器の縦断面図である。
【図２】図１に示すＡ矢視図であって、係合片及び係合部近傍を示した図である。
【図３】本発明に係る第２実施形態のキャップ付容器の縦断面図である。
【図４】図３に示すＢ矢視図であって、係合片及び係合部近傍を示した図である。
【符号の説明】
【００５１】
１、３０  キャップ付容器
２  容器
３  口部
４  注出キャップ
４ａ  注出口
５  オーバーキャップ
１０  外筒部（注出キャップの周壁部）
２３、３１  係合片
２３ａ、３１ａ  連結部分
２３ｂ  先端部
２５、３２  係合部
２６、３３  係止凸部（保持手段）
３２ｂ  当接側面（係合部において容器に対する注出キャップのキャップ周方向に沿った締付側を向く部分）
Ｄ１  容器に対する注出キャップのキャップ周方向に沿った締付側
Ｄ２  容器に対する注出キャップのキャップ周方向に沿った緩み側
Ｆ  内容物
Ｏ  軸線
【図１】
2010052807.tif 000003
【図２】
2010052807.tif 000004
【図３】
2010052807.tif 000005
【図４】
2010052807.tif 000006